(57)【要約】【課題】フィルタ装置が未装着である場合に、ユーザの使い勝手を考慮した良好な対応を図ることができる投写型表示装置を提供する。【解決手段】プロジェクタ１は、塵埃を除去するフィルタカセット４０と、フィルタカセット４０の装着の有無を検出するフィルタ検出部（制御部８０１、回転センサ８１０）と、フィルタカセット４０の未装着状態を知らせるインジケータ部１０７と、ランプユニット２０１および表示ユニット２０３を駆動して、投写運転を実行する制御部８０１と、を備える。制御部８０１は、投写運転を開始する際に、フィルタカセット４０の未装着が検出された場合、インジケータ部１０７を動作させるとともにランプユニット２０１および表示ユニット２０３の起動を中止し、投写運転中に、フィルタカセット４０の未装着が検出された場合、インジケータ部１０７を動作させるとともに投写運転を継続させる。【選択図】図６
2013134426.tif 000002
【特許請求の範囲】
【請求項１】
被投写面に画像を投写する投写運転を行う投写型表示装置において、
光源と、
前記光源から出射された光を変調する光変調部と、
前記光源および前記光変調部が配される本体キャビネットと、
前記本体キャビネット内に外部の空気を取り込むための吸気口と、
前記本体キャビネットに取り外し可能に装着され、前記吸気口に取り込まれる空気から塵埃を除去するフィルタ装置と、
前記フィルタ装置の装着の有無を検出するフィルタ検出部と、
前記フィルタ装置が未装着であることを知らせるための報知部と、
前記光源および前記光変調部を駆動して、前記投写運転を実行する運転制御部と、を備え、
前記運転制御部は、
前記光源および前記光変調部を起動して前記投写運転を開始する際に、前記フィルタ検出部により前記フィルタ装置の未装着が検出された場合には、前記報知部を動作させるとともに前記光源および前記光変調部の起動を中止し、
前記光源および前記光変調部の起動により前記投写運転が開始された後、前記投写運転中に、前記フィルタ検出部により前記フィルタ装置の未装着が検出された場合には、前記報知部を動作させるとともに前記投写運転を継続させる、
ことを特徴とする投写型表示装置。
【請求項２】
請求項１に記載の投写型表示装置において、
外部の空気を、前記吸気口を通じて吸気する吸気ファンを、さらに備え、
前記運転制御部は、少なくとも前記フィルタ検出部により前記フィルタ装置の装着の有無が検出される際、前記吸気ファンを駆動するための駆動電圧を所定電圧に維持し、
前記フィルタ検出部は、前記吸気ファンの回転数を検出する回転数検出部を含み、前記回転数検出部により検出された回転数に基づいて、前記フィルタ装置の装着の有無を検出する、
ことを特徴とする投写型表示装置。
【請求項３】
請求項２に記載の投写型表示装置において、
前記フィルタ検出部は、前記回転数検出部により検出された回転数が、前記フィルタ装置の装着の有無を検出するための閾値よりも低い場合に、前記フィルタ装置が未装着であると検出する、
ことを特徴とする投写型表示装置。
【請求項４】
請求項３に記載の投写型表示装置において、
前記吸気口から取り込まれた空気により冷却される被冷却部の温度を検出する温度検出部をさらに備え、
前記運転制御部は、前記温度検出部により検出された温度が高いほど、前記駆動電圧を高くし、
前記フィルタ検出部は、前記閾値を、前記駆動電圧に応じた値に調整する、
ことを特徴とする投写型表示装置。
【請求項５】
請求項２ないし４の何れか一項に記載の投写型表示装置において、
前記運転制御部は、前記投写運転中に、前記フィルタ検出部により前記フィルタ装置の未装着が検出された場合、前記駆動電圧を、前記フィルタ装置が装着されているときよりも低下させる、
ことを特徴とする投写型表示装置。
【請求項６】
請求項１に記載の投写型表示装置において、
外部の空気を、前記吸気口を通じて吸気する吸気ファンを、さらに備え、
前記運転制御部は、前記投写運転中に、前記フィルタ検出部により前記フィルタ装置の未装着が検出された場合、前記吸気ファンを駆動するための駆動電圧を、前記フィルタ装置が装着されているときよりも低下させる、
ことを特徴とする投写型表示装置。
【発明の詳細な説明】
【技術分野】
【０００１】
本発明は、光源からの光を変調して被投写面に投写する投写型表示装置に関する。
【背景技術】
【０００２】
従来、投写型表示装置（以下、「プロジェクタ」という）では、光源からの光が光変調素子等で構成される光変調部よって変調され、変調された光が被投写面に投写される。かかるプロジェクタでは、光源、光変調部等の発熱部を、外部から取り込んだ空気によって冷却する冷却機構が備えられる。
【０００３】
外部の空気は、フィルタが配された吸気口を通じてプロジェクタ内部に取り込まれる。吸気口には、空気に含まれる塵埃を取り除くため、フィルタ装置が配される。フィルタ装置は、プロジェクタ本体に取り外し可能に装着される（特許文献１参照）。
【０００４】
このように、フィルタ装置が取り外し可能な構成である場合、フィルタ装置が未装着であることを検出するための検出部が備えられ、未装着であることが検出されると、その旨が報知されるような構成が採られることが望ましい（特許文献２参照）。
【先行技術文献】
【特許文献】
【０００５】
【特許文献１】特開２０００−２５８８４２号公報
【特許文献２】特開平０９−００４９１７号公報
【発明の概要】
【発明が解決しようとする課題】
【０００６】
プロジェクタ内部への塵埃の侵入を防止するためには、フィルタ装置が未装着の状態で、投写運転が行われることは好ましくない。よって、塵埃の侵入防止を徹底する場合には、投写運転の開始時のみならず、投写運転中においても、フィルタ装置の未装着が検出されると、投写運転が停止される。
【０００７】
しかしながら、通常の使用環境下においては、フィルタ装置が未装着であっても、比較的短い期間であれば、それほど多くの塵埃がプロジェクタ内部に侵入する虞はない。他方、投写運転中に、フィルタ装置が取り外された場合に、投写運転が停止されると、画像の投写が中断されてしまい、かえって、ユーザにとって使い勝手が悪くなってしまう虞がある。
【０００８】
本発明は、かかる課題に鑑みてなされたものであり、フィルタ装置が未装着である場合に、ユーザの使い勝手を考慮した良好な対応を図ることができる投写型表示装置を提供することを目的とする。
【課題を解決するための手段】
【０００９】
本発明は、被投写面に画像を投写する投写運転を行う投写型表示装置に関する。本発明の投写型表示装置は、光源と、前記光源から出射された光を変調する光変調部と、前記光源および前記光変調部が配される本体キャビネットと、前記本体キャビネット内に外部の空気を取り込むための吸気口と、前記本体キャビネットに取り外し可能に装着され、前記吸気口に取り込まれる空気から塵埃を除去するフィルタ装置と、前記フィルタ装置の装着の有無を検出するフィルタ検出部と、前記フィルタ装置が未装着であることを知らせるための報知部と、前記光源および前記光変調部を駆動して、前記投写運転を実行する運転制
御部と、を備える。ここで、前記運転制御部は、前記光源および前記光変調部を起動して前記投写運転を開始する際に、前記フィルタ検出部により前記フィルタ装置の未装着が検出された場合には、前記報知部を動作させるとともに前記光源および前記光変調部の起動を中止し、前記光源および前記光変調部の起動により前記投写運転が開始された後、前記投写運転中に、前記フィルタ検出部により前記フィルタ装置の未装着が検出された場合には、前記報知部を動作させるとともに前記投写運転を継続させる。
【００１０】
本発明の投写型表示装置によれば、投写運転を開始する際に、フィルタ装置が未装着であれば、その旨が報知されるとともに投写運転が中止される。一方、投写運転中に、フィルタ装置が未装着状態となった場合には、その旨が報知されるとともに投写運転が継続される。よって、画像の投写が中断されてしまいユーザの使い勝手が悪くなるのを抑制しつつ、投写型表示装置の内部への塵埃の侵入を防止できる。
【００１１】
本発明の投写型表示装置は、外部の空気を、前記吸気口を通じて吸気する吸気ファンを、さらに備えるよう構成され得る。この場合、前記運転制御部は、少なくとも前記フィルタ検出部により前記フィルタ装置の装着の有無が検出される際、前記吸気ファンの駆動電圧を所定電圧に維持するような構成とされる。さらに、前記フィルタ検出部は、前記吸気ファンの回転数を検出する回転数検出部を含み、前記回転数検出部により検出された回転数に基づいて、前記フィルタ装置の装着の有無を検出するような構成とされる。
【００１２】
たとえば、前記フィルタ検出部は、前記回転数検出部により検出された回転数が、前記フィルタ装置の装着の有無を検出するための閾値よりも低い場合に、前記フィルタ装置が未装着であると検出する。
【００１３】
このような構成とすれば、吸気ファンの回転数を検出することにより、フィルタ装置の装着の有無を検出することができる。よって、本体キャビネットにおけるフィルタ装置の装着部位に、フィルタ装置の装着の有無を検出するためのメカニカルなスイッチを設ける必要がない。
【００１４】
上記の構成とされた場合、前記吸気口から取り込まれた空気により冷却される被冷却部の温度を検出する温度検出部がさらに備えられ得る。この場合、前記運転制御部は、前記温度検出部により検出された温度が高いほど、前記駆動電圧を高くする。さらに、前記フィルタ検出部は、前記閾値を、前記駆動電圧に応じた値に調整する。
【００１５】
このような構成とすれば、被冷却部の温度が高いほど、吸気ファンの回転数が高くなって風量が多くなるので、被冷却部を良好に冷却できる。しかも、駆動電圧に応じた値となるよう閾値が調整されるので、駆動電圧が切り替えられてもフィルタ装置の装着の有無を精度よく検出できる。
【００１６】
上記のように吸気ファンを備える構成とされた場合、前記運転制御部は、前記投写運転中に、前記フィルタ検出部により前記フィルタ装置の未装着が検出された場合、前記駆動電圧を、前記フィルタ装置が装着されているときよりも低下させるような構成とされ得る。
【００１７】
フィルタ装置が装着されていないと、吸気口から空気が取り込まれやすくなり風量が増加する。こうなると、塵埃がより侵入しやすくなる。
【００１８】
上記の構成では、吸気ファンの駆動電圧が低下することにより吸気ファンの回転数が低下し、風量が低下する。よって、風量増加により塵埃の侵入が助長されるのを防止できる。
【００１９】
本発明の投写型表示装置は、外部の空気を、前記吸気口を通じて吸気する吸気ファンを、さらに備えるような構成とされ得る。この場合、前記運転制御部は、前記投写運転中に、前記フィルタ検出部により前記フィルタ装置の未装着が検出された場合、前記吸気ファンを駆動するための駆動電圧を、前記フィルタ装置が装着されているときよりも低下させる。
【００２０】
このような構成とすれば、吸気ファンの駆動電圧が低下することにより吸気ファンの回転数が低下し、風量が低下する。よって、風量増加により塵埃の侵入が助長されるのを防止できる。
【発明の効果】
【００２１】
以上のとおり、本発明によれば、フィルタ装置が未装着である場合に、ユーザの使い勝手を考慮した良好な対応を図ることができる投写型表示装置を提供することができる。
【００２２】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２３】
【図１】実施の形態に係る、プロジェクタの構成を示す外観斜視図である。
【図２】実施の形態に係る、光学エンジンの構成を示す図である。
【図３】実施の形態に係る、フィルタカセットの構成を示す図である。
【図４】実施の形態に係る、ランプユニットおよび表示ユニットを冷却するための冷却機構について説明するための図である。
【図５】実施の形態に係る、ランプユニットおよび表示ユニットを冷却するための冷却機構について説明するための図である。
【図６】実施の形態に係る、プロジェクタの制御系の構成を示すブロック図である。
【図７】実施の形態に係る、フィルタカセットの装着の有無に基づく運転制御処理について説明するための図である。
【図８】変更例に係る、フィルタカセットの装着の有無に基づく運転制御処理を示すフローチャートである。
【発明を実施するための形態】
【００２４】
以下、図面を参照して、本発明の実施の形態について説明する。
【００２５】
図１は、プロジェクタ１の構成を示す外観斜視図である。図１を参照して、プロジェクタ１は、略直方体形状を有する本体キャビネット１０を備えている。本体キャビネット１０の前面には、投写窓１０１が形成されている。本体キャビネット１０の左側面は、一部が吸気口カバー１０２により構成されている。吸気口カバー１０２は、その下端部にヒンジ構造を有し、図中の一点鎖線に示すように、下端部を支点にして左方向に開放する。吸気口カバー１０２には、多数の孔からなる側面吸気口１０３が形成されている。
【００２６】
吸気口カバー１０２は、本体キャビネット１０内の左側面側に設けられたフィルタ装着部１０４を覆う。フィルタ装着部１０４には、フィルタカセット４０が取り外し可能に装着されている。フィルタカセット４０を交換する際には、吸気口カバー１０２が開放されて、フィルタカセット４０がフィルタ装着部１０４から取り外される。
【００２７】
本体キャビネット１０の左側面には、吸気口カバー１０２の後方に、多数の孔からなる側面排気口１０５が形成されている。
【００２８】
本体キャビネット１０の上面には、操作部１０６およびインジケータ部１０７が設けられている。操作部１０６は、投写運転の開始操作を行うための開始ボタン、投写運転の終了操作を行うための終了ボタン等、各種の操作ボタンを備えている。インジケータ部１０７は、ＬＥＤ等の表示素子により構成され、投写運転の状態の報知、各種異常報知等を行う。異常報知には、フィルタカセット４０がフィルタ装着部１０４に装着されていない旨の報知が含まれる。
【００２９】
本体キャビネット１０の内部には、光学エンジン２０および投写レンズユニット３０が配されている。光学エンジン２０は、ランプユニットからの光を映像信号に基づいて変調することにより映像光を生成する。光学エンジン２０には、投写レンズユニット３０が装着されており、投写レンズユニット３０の前端部が、投写窓１０１から前方に露出している。投写レンズユニット３０は、光学エンジン２０で生成された映像光を、プロジェクタ１の前方に配されたスクリーンに拡大投写する。
【００３０】
図２は、光学エンジン２０の構成を示す図である。
【００３１】
図２に示すように、光学エンジン２０は、ランプユニット２０１と、導光ユニット２０２と、表示ユニット２０３とを備えている。
【００３２】
表示ユニット２０３は、３つの透過型の液晶パネル２０４、２０５、２０６と、ダイクロイックプリズム２０７とを備えている。液晶パネル２０４、２０５、２０６の入射側と出射側には図示しない偏光板が配されている。
【００３３】
ランプユニット２０１は、白色光を発するランプ２０１ａと、ランプ２０１ａから発せられた白色光を反射するリフレクタ２０１ｂとを含む。ランプ２０１ａには、メタルハライドランプ、キセノンランプ等が用いられる。ランプユニット２０１から出射された白色光は、導光ユニット２０２に入射する。
【００３４】
導光ユニット２０２は、フライアイインテグレータ、ＰＢＳアレイ、コンデンサレンズ、ダイクロイックミラー、平面ミラー、リレーレンズ等を備える。導光ユニット２０２に入射した白色光は、赤色波長帯の光（以下、「Ｒ光」という）と、緑色波長帯の光（以下、「Ｇ光」という）と、青色波長帯の光（以下、「Ｂ光」という）に分離され、液晶パネル２０４、２０５、２０６に照射される。これら液晶パネル２０４、２０５、２０６によって変調されたＲ光、Ｇ光、Ｂ光は、ダイクロイックプリズム２０７によって色合成され、映像光として出射される。
【００３５】
なお、光学エンジン２０を構成する光変調素子としては、上記透過型の液晶パネル２０４、２０５、２０６の他、反射型の液晶パネルや、ＭＥＭＳデバイスを用いることもできる。また、光学エンジン２０は、上記のように３つの光変調素子を備えた３板式の光学系ではなく、たとえば、１つの光変調素子とカラーホイールを用いた単板式の光学系により構成することもできる。
【００３６】
図３は、フィルタカセット４０の構成を示す図である。図３（ａ）、（ｂ）は、それぞれ、フィルタカセット４０の正面図および背面図である。図３（ｃ）は、図３（ａ）のＡ−Ａ´断面図である。
【００３７】
図３を参照して、フィルタカセット４０は、長方形の箱状に形成されたケース４０１を備えている。ケース４０１の中央部には、外部の空気が通る空気流路４０２が形成されている。ケース４０１の背面には、接続口４０３が形成さている。
【００３８】
ケース４０１には、空気流路４０２を覆うようにエアフィルタ４０４が配されている。エアフィルタ４０４には、ウレタンフィルタ、不織布フィルタ等が用いられる。
【００３９】
本体キャビネット１０内には、フィルタカセット４０を介して外部の空気が取り込まれ、取り込まれた空気により、発熱しているランプユニット２０１および表示ユニット２０３が冷却される。
【００４０】
図４および図５は、ランプユニット２０１および表示ユニット２０３を冷却するための冷却機構について説明するための図である。図４は、プロジェクタ１の内部を透視した、プロジェクタ１の要部の平面図である。図５は、パネル冷却ユニット５０における、フィルタ装着部１０４との連結部分の近傍を、図４に示すＰ方向から見た図である。
【００４１】
図４では、便宜上、本体キャビネット１０、パネル冷却ユニット５０の一部およびフィルタカセット４０が、断面図で示されている。また、パネル冷却ユニット５０の構成が良く見えるように、導光ユニット２０２および表示ユニット２０３が一点鎖線で示されている。
【００４２】
図４および図５を参照して、本体キャビネット１０内には、ランプユニット２０１および表示ユニット２０３を冷却するため、パネル冷却ユニット５０と、ランプ冷却ファン６０と、排気ファン７０とが配されている。
【００４３】
パネル冷却ユニット５０は、冷却風路５０１を備えている。冷却風路５０１には、空気を取り込むための吸気口５０２が形成されている。冷却風路５０１の前端には、接続口５０３が形成されており、接続口５０３がフィルタ装着部１０４に連結されている。フィルタ装着部１０４にフィルタカセット４０が装着されると、フィルタカセット４０の接続口４０３が、フィルタ装着部１０４の開口部に通されて冷却風路５０１の接続口５０３に接続される。これにより、フィルタカセット４０の空気流路４０２が冷却風路５０１の吸気口５０２に連通する。
【００４４】
パネル冷却ユニット５０は、導光ユニット２０２および表示ユニット２０３の下方に配されている。図５に示すように、冷却風路５０１の吸気口５０２の近傍部分５０１ａは、導光ユニット２０２側へ向かうに従って徐々に風路の高さが低くなるよう、上面が傾斜する形状を有する。
【００４５】
冷却風路５０１は、表示ユニット２０３の下方まで延びている。冷却風路５０１の上面には、表示ユニット２０３の真下の位置に、各液晶パネル２０４、２０５、２０６に対応する吹出口５０４、５０５、５０６が形成されている。
【００４６】
冷却風路５０１の内部には、パネル冷却ファン５０７が配されている。パネル冷却ファン５０７には、たとえば、遠心ファンが用いられる。
【００４７】
ランプ冷却ファン６０は、ランプユニット２０１の右側において、ランプユニット２０１に近接するように配されている。ランプ冷却ファン６０には、たとえば、軸流ファンが用いられる。
【００４８】
排気ファン７０は、ランプユニット２０１の左側において、本体キャビネット１０の左側面に近接するように配されている。排気ファン７０は、左側面に形成された側面排気口１０５に対面する。排気ファン７０には、たとえば、軸流ファンが用いられる。
【００４９】
投写運転時には、パネル冷却ファン５０７、ランプ冷却ファン６０および排気ファン７０が回転する。これらファン５０７、６０、７０が回転すると、外部の空気が、フィルタカセット４０の空気流路４０２を通じて、吸気口５０２から冷却風路５０１内に取り込まれる。このとき、エアフィルタ４０４により空気中の塵埃が除去される。
【００５０】
冷却風路５０１内に取り込まれた空気は、各吹出口５０４、５０５、５０６へと送られ、各吹出口５０４、５０５、５０６から、それぞれの上方に位置する液晶パネル２０４、２０５、２０６に向かって吹き出す。吹出口５０４、５０５、５０６から吹き出した空気により、各液晶パネル２０４、２０５、２０６、偏光版（図示せず）およびダイクロイックプリズム２０７、即ち、表示ユニット２０３が冷却される。
【００５１】
表示ユニット２０３を冷却した空気は、ランプ冷却ファン６０に取り込まれる。取り込まれた空気は、ランプユニット２０１に向かって送出され、送出された空気により、ランプユニット２０１が冷却される。
【００５２】
ランプユニット２０１を冷却した空気は、排気ファン７０により、側面排気口１０５を通じて、外部に排出される。
【００５３】
図６は、プロジェクタ１の制御系の構成を示すブロック図である。
【００５４】
プロジェクタは、上述した構成に加えて、制御回路部８０を備えている。制御回路部８０は、制御部８０１と、記憶部８０２と、キー入力部８０３と、映像信号入力部８０４と、映像信号処理部８０５と、パネル駆動部８０６と、ファン駆動部８０７と、ランプ駆動部８０８と、インジケータ駆動部８０９と、回転センサ８１０と、温度センサ８１１とを備えている。
【００５５】
キー入力部８０３は、操作部１０６のボタン操作に応じた入力信号を制御部８０１へ出力する。
【００５６】
映像信号入力部８０４は、ＲＢＧ信号、コンポジット信号等の各種映像信号に対応する各種入力端子を有し、外部から入力された映像信号を映像信号処理部８０５へ出力する。映像信号処理部８０５は、映像信号入力部８０４から出力された映像信号を各液晶パネル２０４、２０５、２０６で表示できるＲＧＢの映像信号に変換してパネル駆動部８０６に出力する。パネル駆動部８０６は、映像信号処理部８０５からの映像信号および制御部８０１からの制御信号に従って各液晶パネル２０４、２０５、２０６（表示ユニット２０３）を駆動する。
【００５７】
ファン駆動部８０７は、制御部８０１からの制御信号に従って、パネル冷却ファン５０７、ランプ冷却ファン６０および排気ファン７０を駆動する。ランプ駆動部８０８は、制御部８０１からの制御信号に従ってランプ２０１ａ（ランプユニット２０１）を駆動する。インジケータ駆動部８０９は、制御部８０１からの制御信号に従ってインジケータ部１０７を駆動する。
【００５８】
記憶部８０２は、ＲＡＭ、ＲＯＭ等で構成されている。記憶部８０２には、制御部８０１に制御機能を付与するための制御プログラムが記憶されている。制御部８０１は、ＣＰＵを備え、かかる制御プログラムに従って各部を制御する。
【００５９】
回転センサ８１０は、パネル冷却ファン５０７の回転数を検出する。回転センサ８１０からは、パネル冷却ファン５０７の回転数に応じた検出信号が制御部８０１へ出力される。制御部８０１は、回転センサ８１０と共同し、本発明のフィルタ検出部として、後述の
運転制御処理において、フィルタ装着部１０４へのフィルタカセット４０の装着の有無を検出する。
【００６０】
温度センサ８１１は、表示ユニット２０３の近傍に配され、表示ユニット２０３の温度を検出する。温度センサ８１１からは、表示ユニット２０３の温度に応じた検出信号が制御部８０１へ出力される。
【００６１】
図７は、フィルタカセット４０の装着の有無に基づく運転制御処理について説明するための図である。図７（ａ）は、運転制御処理のフローチャートである。図７（ｂ）は、表示ユニット２０３の温度Ｔと、パネル冷却ファン５０７に対する駆動電圧Ｖと、フィルタカセット４０の装着の有無を検出するための閾値ＲＡの関係を示す情報テーブルである。
【００６２】
ユーザにより操作部１０６の開始ボタンが操作されると、図７（ａ）に示す運転制御処理が開始される。制御部８０１は、まず、パネル冷却ファン５０７、ランプ冷却ファン６０および排気ファン７０を駆動する（Ｓ１）。次に、制御部８０１は、回転センサ８１０によりパネル冷却ファン５０７の回転数Ｒを検出し（Ｓ２）、検出した回転数Ｒを、フィルタカセット４０の装着の有無を検出するための閾値ＲＡと比較する（Ｓ３）。
【００６３】
図７（ｂ）の情報テーブルに示すように、本実施の形態では、表示ユニット２０３の温度Ｔに応じた回転数Ｒでパネル冷却ファン５０７が回転するよう、表示ユニット２０３の温度Ｔに応じて駆動電圧Ｖが設定されている。表示ユニット２０３の温度Ｔが高いほど、駆動電圧Ｖが高くなり、パネル冷却ファン５０７の回転数Ｒが高くなる。表示ユニット２０３の温度Ｔが所定の範囲にあるときには、駆動電圧Ｖは、パネル冷却ファン５０７の回転数Ｒに関係なく、一定に維持される。
【００６４】
閾値ＲＡは、フィルタカセット４０がフィルタ装着部１０４に装着されているときにパネル冷却ファン５０７に駆動電圧Ｖが印加された場合のパネル冷却ファン５０７の回転数Ｒに基づいて設定される。具体的には、閾値ＲＡは、フィルタカセット４０が装着されているときのパネル冷却ファン５０７の回転数Ｒよりも少し低い値とされる。図７（ｂ）の情報テーブルに示すように、閾値ＲＡは、駆動電圧Ｖに応じて調整される。なお、情報テーブルは、記憶部８０２に記憶されている。
【００６５】
フィルタカセット４０がフィルタ装着部１０４に装着されていないときには、吸気口５０２から空気が取り込まれやすくなるので、パネル冷却ファン５０７に吸気される風量が多くなり、パネル冷却ファン５０７に加わる負荷が大きくなる。パネル冷却ファン５０７は、一定の駆動電圧Ｖに維持されているので、パネル冷却ファン５０７に加わる負荷が大きくなれば、パネル冷却ファン５０７の回転数Ｒが低下する。即ち、フィルタカセット４０が装着状態である場合には、パネル冷却ファン５０７の回転数Ｒが閾値ＲＡを超えるが、フィルタカセット４０が未装着状態である場合には、パネル冷却ファン５０７の回転数Ｒが閾値ＲＡ以下となる。
【００６６】
制御部８０１は、回転数Ｒが閾値ＲＡより大きい場合、フィルタカセット４０がフィルタ装着部１０４に装着されていると判断し（Ｓ３：ＮＯ）、ランプ２０１ａおよび各液晶パネル２０４、２０５、２０６を駆動して、投写運転を開始する。
【００６７】
一方、制御部８０１は、回転数Ｒが閾値ＲＡ以下である場合、フィルタカセット４０がフィルタ装着部１０４に装着されていないと判断し（Ｓ３：ＹＥＳ）、インジケータ部１０７に、フィルタカセット４０が未装着である旨の報知を行わせる（Ｓ５）。たとえば、フィルタカセット４０が未装着であるとのエラーに対応するＬＥＤを点灯させる。さらに、制御部８０１は、パネル冷却ファン５０７、ランプ冷却ファン６０および排気ファン７
０を停止させる（Ｓ６）。
【００６８】
制御部８０１は、投写運転が開始されると、投写運転中も、パネル冷却ファン５０７の回転数Ｒを検出して閾値ＲＡと比較する一連の処理を、一定の時間間隔で繰り返す（Ｓ７、Ｓ８）。フィルタカセット４０がフィルタ装着部１０４に装着されたままであれば、ステップＳ８において、回転数Ｒが閾値ＲＡより大きいと判定され続ける（Ｓ８：ＮＯ）。このとき、パネル冷却ファン５０７は、図７（ｂ）の情報テーブルに示すように、表示ユニット２０３の温度に応じた駆動電圧Ｖで駆動される。
【００６９】
ユーザにより操作部１０６の終了ボタンが押されると、制御部８０１は、終了操作があったと判定し（Ｓ９：ＹＥＳ）、シャットダウン処理を行う（Ｓ１０）。即ち、制御部８０１は、所定の手順に従って、ランプ２０１ａ、各液晶パネル２０４、２０５、２０６、パネル冷却ファン５０７、ランプ冷却ファン６０、および排気ファン７０を停止させる。これにより、運転制御処理が終了する。プロジェクタ１は、スタンバイ状態となる。
【００７０】
投写運転中に、ユーザ等により、フィルタカセット４０が取り外される場合があり得る。たとえば、ユーザが、フィルタカセット４０に付着した塵埃が気になり、運転中ではあるが、エアフィルタ４０４を掃除したり交換したりすることが考えられる。
【００７１】
この場合、パネル冷却ファン５０７の回転数Ｒが閾値ＲＡ以下となるので、制御部８０１は、フィルタカセット４０がフィルタ装着部１０４に装着されていないと判断し（Ｓ３：ＹＥＳ）、インジケータ部１０７に、フィルタカセット４０が未装着である旨の報知を行わせる（Ｓ１１）。ただし、投写運転が開始される際とは異なり、ランプ２０１ａ、各液晶パネル２０４、２０５、２０６、パネル冷却ファン５０７、ランプ冷却ファン６０、および排気ファン７０の動作は継続され、投写運転が継続される。
【００７２】
その後、フィルタカセット４０が未装着状態のままであれば、未装着である旨の報知が継続されるが、フィルタカセット４０が再び装着状態となれば、未装着である旨の報知が停止される。
【００７３】
以上、本実施の形態によれば、投写運転を開始する際に、フィルタカセット４０が未装着であれば、その旨が報知されるとともに投写運転が中止される。一方、投写運転中に、フィルタカセット４０が未装着の状態となった場合には、その旨が報知されるとともに投写運転が継続される。よって、画像の投写が中断されてしまいユーザの使い勝手が悪くなるのを抑制しつつ、プロジェクタ１の内部への塵埃の侵入を防止できる。
【００７４】
さらに、本実施の形態によれば、回転センサ８１０により検出されたパネル冷却ファン５０７の回転数Ｒに基づいて、フィルタカセット４０の装着の有無が検出されるよう構成されている。よって、本体キャビネット１０のフィルタ装着部１０４に、フィルタカセット４０の装着の有無を検出するためのメカニカルなスイッチを設ける必要がない。
【００７５】
さらに、本実施の形態によれば、表示ユニット２０３の温度Ｔが高いほど、パネル冷却ファン５０７の回転数Ｒが高くなって風量が多くなるので、表示ユニット２０３を良好に冷却できる。しかも、駆動電圧Ｖに応じた値となるよう閾値ＲＡが調整されるので、駆動電圧Ｖが切り替えられてもフィルタカセット４０の装着の有無を精度よく検出できる。
【００７６】
＜変更例＞
図８は、変更例に係る、フィルタカセット４０の装着の有無に基づく運転制御処理を示すフローチャートである。
【００７７】
図８に示す本変更例の運転制御処理では、図７に示す運転制御処理に対して、ステップＳ１１の処理の後に、ステップＳ１２の処理が付加されている。
【００７８】
フィルタカセット４０がフィルタ装着部１０４に装着されていない場合、吸気口５０２から空気が取り込まれやすくなり風量が増加する。こうなると、塵埃がより侵入しやすくなる。
【００７９】
そこで、本実施の形態では、制御部８０１は、投写運転中に、パネル冷却ファン５０７の回転数Ｒが閾値ＲＡより小さく、フィルタカセット４０が未装着状態であると判断すると（Ｓ８：ＹＥＳ）、フィルタカセット４０が未装着である旨をインジケータ部１０７に報知させるとともに（Ｓ１１）、パネル冷却ファン５０７に印加する駆動電圧Ｖを低下させる（Ｓ１２）。これにより、パネル冷却ファン５０７の回転数Ｒが低下するため、吸気口５０２から取り込まれる風量が低下する。
【００８０】
このように、本変更例では、投写運転中にフィルタカセット４０が取り外されると、吸気口５０２から取り込まれる風量が低下するので、風量増加によりプロジェクタ１の内部への塵埃の侵入が助長されるのを防止できる。
【００８１】
＜その他＞
以上、本実施の形態について説明したが、本発明は上記実施の形態に何ら制限されるものではなく、また、本発明の実施形態も、上記実施の形態以外に、種々の変更が可能である。
【００８２】
たとえば、上記実施の形態では、表示ユニット２０３の温度Ｔに応じてパネル冷却ファン５０７の駆動電圧Ｖが設定されている。しかしながら、これに限らず、ランプユニット２０１の温度に応じてパネル冷却ファン５０７の駆動電圧Ｖが設定される構成とされてもよい。あるいは、表示ユニット２０３の温度Ｔとランプユニット２０１の温度の双方に応じてパネル冷却ファン５０７の駆動電圧Ｖが設定される構成とされてもよい。この場合、たとえば、上記２つの温度のうち、何れかが高い温度に合わせて、駆動電圧Ｖが調整される。
【００８３】
さらに、上記実施の形態では、パネル冷却ファン５０７の回転数Ｒに基づいてフィルタカセット４０の装着の有無を検出する構成とされている。しかしながら、これに限らず、ランプ冷却ファン６０の回転数に基づいて、フィルタカセット４０の装着の有無を検出する構成とされても良い。この場合、ランプユニット２０１の温度または表示ユニット２０３の温度、あるいは、ランプユニット２０１温度と表示ユニット２０３の温度の双方に応じてランプ冷却ファン６０の駆動電圧が調整され、駆動電圧に応じて閾値が調整されると良い。
【００８４】
さらに、上記変更例では、投写運転中に、フィルタカセット４０が未装着状態となった場合、パネル冷却ファン５０７の駆動電圧Ｖを低下させる構成とされている。しかしながら、パネル冷却ファン５０７の駆動電圧Ｖに加え、ランプ冷却ファン６０および排気ファン７０の少なくとも一方の駆動電圧を低下させる構成とされても良い。
【００８５】
さらに、上記実施の形態では、パネル冷却ファン５０７、即ち、プロジェクタ１の内部へ外部の空気を吸気する吸気ファンの回転数に基づいてフィルタカセット４０の装着の有無が検出される構成とされている。しかしながら、これに限らず、たとえば、吸気口５０２に風量センサが配され、風量センサにより検出された風量に基づいてフィルタカセット４０の装着の有無が検出される構成とされても良い。この場合、フィルタカセット４０が装着状態から未装着状態となると吸気口５０２に取り込まれる風量が増加する。よって、
検出された風量がフィルタカセット４０の装着の有無を検出するための閾値を越えると、フィルタカセット４０が未装着であると検出される。さらに、フィルタ装着部１０４に、マイクロスイッチ等、メカニカルなスイッチが配され、このスイッチのオンオフに基づいてフィルタカセット４０の装着の有無が検出される構成とされても良い。
【００８６】
さらに、上記実施の形態では、インジケータ部１０７による表示により、フィルタカセット４０が未装着である旨が報知される構成とされている。しかしながら、これに限らず、フィルタカセット４０が未装着である旨の音声がスピーカから出力されるような構成とされても良い。さらに、インジケータ部１０７による表示とスピーカからの音声の双方により、フィルタカセット４０が未装着である旨の報知が行われても良い。
【００８７】
さらに、上記実施の形態では、ランプ光源であるランプユニット２０１が用いられているが、ＬＥＤ光源やレーザ光源が用いられても良い。
【００８８】
この他、本発明の実施の形態は、特許請求の範囲に示された技術的思想の範囲内において、適宜、種々の変更が可能である。
【符号の説明】
【００８９】
１０  本体キャビネット
１０７  インジケータ部（報知部）
２０  光学エンジン
２０１  ランプユニット（光源）
２０３  表示ユニット（光変調部、被冷却部）
４０  フィルタカセット（フィルタ装置）
５０  パネル冷却ユニット
５０１  冷却風路
５０２  吸気口
５０７  パネル冷却ファン（吸気ファン）
８０  制御回路部
８０１  制御部（運転制御部、フィルタ検出部）
８１０  回転センサ（回転数検出部、フィルタ検出部）
８１１  温度センサ（温度検出部）
【図１】
2013134426.tif 000003
【図２】
2013134426.tif 000004
【図３】
2013134426.tif 000005
【図４】
2013134426.tif 000006
【図５】
2013134426.tif 000007
【図６】
2013134426.tif 000008
【図７】
2013134426.tif 000009
【図８】
2013134426.tif 000010